(57)【要約】【課題】保持器の強度を向上させ高速回転時の保持器の機能を満足することが可能なアンギュラ玉軸受を提供する。【解決手段】外輪３の内周面は、外輪軌道面３ａの軸方向一方側に形成された外輪小径肩部３ｂと、外輪軌道面３ａの軸方向他方側に形成され、外輪小径肩部３ｂよりも大径のカウンタボア３ｃと、を有する。もみ抜き保持器１１は、軸方向一方側及び他方側にそれぞれ配置される一方側環状部１５ａ及び他方側環状部１５ｂと、一方側環状部１５ａ及び他方側環状部１５ｂを軸方向に連結する複数の柱部１７と、一方側環状部１５ａと他方側環状部１５ｂと複数の柱部１７とによって画成され、複数の玉７を転動自在に保持する複数のポケット部９と、を有する。もみ抜き保持器１１の外周面は、一方側環状部１５ａ及び他方側環状部１５ｂの外径φＤＯ２、φＤＯ１が異なる段付き形状とされ、外輪小径肩部３ｂの内径φＡ２及び他方側環状部１５ｂの外径φＤＯ１の関係が、φＡ２＜φＤＯ１とされる。【選択図】図１
2014126195.tif 000002
【特許請求の範囲】
【請求項１】
内周面に外輪軌道面を有する外輪と、
外周面に内輪軌道面を有する内輪と、
前記外輪軌道面と前記内輪軌道面との間に、周方向に所定の間隔で配設された複数の玉と、
前記複数の玉を転動自在に保持する保持器と、
を備えるアンギュラ玉軸受であって、
前記外輪の内周面は、前記外輪軌道面の軸方向一方側に形成された外輪小径肩部と、前記外輪軌道面の軸方向他方側に形成され、前記外輪小径肩部よりも大径の外輪大径肩部と、を有し、
前記保持器は、軸方向一方側及び他方側にそれぞれ配置される一方側環状部及び他方側環状部と、前記一方側環状部及び他方側環状部を軸方向に連結する複数の柱部と、前記一方側環状部と前記他方側環状部と前記複数の柱部とによって画成され、前記複数の玉を転動自在に保持する複数のポケット部と、を有し
前記保持器の外周面は、前記一方側環状部及び前記他方側環状部の外径が異なる段付き形状とされ、
前記外輪小径肩部の内径をφＡ２とし、
前記他方側環状部の外径をφＤＯ１としたとき、
φＡ２＜φＤＯ１
である
ことを特徴とするアンギュラ玉軸受。
【請求項２】
前記柱部の外径をφＤＯ３としたとき、
φＡ２＜φＤＯ３
である
ことを特徴とする請求項１に記載のアンギュラ玉軸受。
【請求項３】
前記内輪の外周面は、前記内輪軌道面の軸方向一方側に形成され、前記一方側環状部と径方向に対向する内輪小径肩部と、前記内輪軌道面の軸方向他方側に形成されると共に前記他方側環状部と径方向に対向し、前記内輪小径肩部よりも大径の内輪大径肩部と、を有し
前記保持器の内周面は、前記一方側環状部及び前記他方側環状部の内径が異なる段付き形状とされ、
前記他方側環状部の内径をφｄｉ１とし、
前記一方側環状部の内径をφｄｉ２としたとき、
φｄｉ２＜φｄｉ１
である
ことを特徴とする請求項１又は２に記載のアンギュラ玉軸受。
【請求項４】
前記柱部の内周面は、内周側に向かって突設されると共に、前記内輪軌道面と径方向に対向する突部を有し、
前記突部の内径をφｄｉ３とし、
前記内輪大径肩部の外径をφＢ１とし、
前記内輪小径肩部の内径をφＢ２としたとき、
φＢ２＜φｄｉ３＜φＢ１
である
ことを特徴とする請求項３に記載のアンギュラ玉軸受。
【請求項５】
前記保持器は、玉案内方式である
ことを特徴とする請求項１〜４の何れか１項に記載のアンギュラ玉軸受。
【請求項６】
前記保持器は、外輪案内方式である
ことを特徴とする請求項１〜４の何れか１項に記載のアンギュラ玉軸受。
【発明の詳細な説明】
【技術分野】
【０００１】
本発明は、アンギュラ玉軸受に関する。
【背景技術】
【０００２】
最近の工作機械においては、航空機用部品等の素材からの一体加工品あるいはチタン合金系材料等の難削材加工等で、高効率加工の要求が増加している。これらに対応するため、工作機械主軸の高速化が進んでいる。
【０００３】
これらの高速回転主軸に使用される転がり軸受として、精密アンギュラ玉軸受が使用されている。精密アンギュラ玉軸受が高速回転した場合、遠心力の影響は無視できず、軸受として遠心力に対応する最適な内部設計仕様が必要となる。ここで、内輪の回転によって自転しながら公転する玉にも大きな遠心力が作用するため、これに対応する設計仕様として、特に、軸受のｄｍｎ値が５０万以上の主軸においては、一般的な標準アンギュラ玉軸受（例えば、ＩＳＯで規定されている直径系列が「０」のアンギュラ玉軸受。図９（ａ）参照。）に対して、玉径を小さくした特殊設計の小径玉アンギュラ玉軸受（図９（ｂ）参照。）が使用されている。より具体的に、小径玉アンギュラ玉軸受としては、軸受の断面高さをＹとし、玉の直径をＤａとすると、Ｄａ／Ｙ＜０．５に設定されたものが使用されていた。
【０００４】
このような小径玉アンギュラ玉軸受では、玉径を小さくすることで、一般的な標準アンギュラ玉軸受に比べて、玉に加わる遠心力が小さくなり、高速回転中の遠心力によって増加する軸受内部荷重も小さくできる。また、最近では、玉径を小さくした上で、さらに玉の材質として鋼よりも比重の小さいセラミック材料（例えば、窒化ケイ素：Ｓｉ３Ｎ４）を用いて、遠心力のさらなる軽減を図った軸受も使用されている。これらの方策により、高速回転時の軸受温度上昇を小さくでき、加工精度の向上や転がり接触部の油膜切れによる焼付き等の不具合を防止できる。
【０００５】
また、これらの高速回転用途では、保持器材料も比重の大きい金属材料ではなく、軽量のフェノールやポリアミド（ＰＡ）、ポリフェニレンサルファイド（ＰＰＳ）、ポリエーテルエーテルケトン（ＰＥＥＫ）、ポリイミド（ＰＩ）等の合成樹脂材料が広く使用されている。これらの合成樹脂材料は、玉や内外輪との滑り接触摩擦特性も良好であるが、引っ張り強度が金属材料に比べて小さい。
【０００６】
ここで、特許文献１に記載のアンギュラ玉軸受においても、保持器の材料として合成樹脂材料が採用されており、保持器の軽量化や、滑り接触摩擦特性の向上がなされている。
【先行技術文献】
【特許文献】
【０００７】
【特許文献１】特開２００８−２４０７９６号公報
【発明の概要】
【発明が解決しようとする課題】
【０００８】
しかしながら、図９（ｂ）に示した小径玉アンギュラ玉軸受のように、玉径を小さくした場合、それに応じて、保持器の径方向幅も小さくせざるを得えない。したがって、小径玉アンギュラ玉軸受において、合成樹脂を保持器材料として採用する場合、保持器強度の確保が必要となる。
【０００９】
本発明は、前述した課題に鑑みてなされたものであり、その目的は、保持器の強度を向上させ高速回転時の保持器の機能を満足することが可能なアンギュラ玉軸受を提供することにある。
【課題を解決するための手段】
【００１０】
本発明の上記目的は、下記の構成により達成される。
（１）  内周面に外輪軌道面を有する外輪と、
外周面に内輪軌道面を有する内輪と、
前記外輪軌道面と前記内輪軌道面との間に、周方向に所定の間隔で配設された複数の玉と、
前記複数の玉を転動自在に保持する保持器と、
を備えるアンギュラ玉軸受であって、
前記外輪の内周面は、前記外輪軌道面の軸方向一方側に形成された外輪小径肩部と、前記外輪軌道面の軸方向他方側に形成され、前記外輪小径肩部よりも大径の外輪大径肩部と、を有し、
前記保持器は、軸方向一方側及び他方側にそれぞれ配置される一方側環状部及び他方側環状部と、前記一方側環状部及び他方側環状部を軸方向に連結する複数の柱部と、前記一方側環状部と前記他方側環状部と前記複数の柱部とによって画成され、前記複数の玉を転動自在に保持する複数のポケット部と、を有し
前記保持器の外周面は、前記一方側環状部及び前記他方側環状部の外径が異なる段付き形状とされ、
前記外輪小径肩部の内径をφＡ２とし、
前記他方側環状部の外径をφＤＯ１としたとき、
φＡ２＜φＤＯ１
である
ことを特徴とするアンギュラ玉軸受。
（２）  前記柱部の外径をφＤＯ３としたとき、
φＡ２＜φＤＯ３
である
ことを特徴とする（１）に記載のアンギュラ玉軸受。
（３）  前記内輪の外周面は、前記内輪軌道面の軸方向一方側に形成され、前記一方側環状部と径方向に対向する内輪小径肩部と、前記内輪軌道面の軸方向他方側に形成されると共に前記他方側環状部と径方向に対向し、前記内輪小径肩部よりも大径の内輪大径肩部と、を有し
前記保持器の内周面は、前記一方側環状部及び前記他方側環状部の内径が異なる段付き形状とされ、
前記他方側環状部の内径をφｄｉ１とし、
前記一方側環状部の内径をφｄｉ２としたとき、
φｄｉ２＜φｄｉ１
である
ことを特徴とする（１）又は（２）に記載のアンギュラ玉軸受。
（４）  前記柱部の内周面は、内周側に向かって突設されると共に、前記内輪軌道面と径方向に対向する突部を有し、
前記突部の内径をφｄｉ３とし、
前記内輪大径肩部の外径をφＢ１とし、
前記内輪小径肩部の内径をφＢ２としたとき、
φＢ２＜φｄｉ３＜φＢ１
である
ことを特徴とする（３）に記載のアンギュラ玉軸受。
（５）  前記保持器は、玉案内方式である
ことを特徴とする（１）〜（４）の何れか１つに記載のアンギュラ玉軸受。
（６）  前記保持器は、外輪案内方式である
ことを特徴とする（１）〜（４）の何れか１つに記載のアンギュラ玉軸受。
【発明の効果】
【００１１】
本発明の転がり軸受用保持器によれば、保持器の他方側環状部の外径φＤＯ１と、外輪小径肩部の内径φＡ２との関係を、φＡ２＜φＤＯ１となるように設定したので、他方側環状部の径方向幅を厚くでき、保持器の強度を向上させることが可能である。これにより、高速回転時の保持器の機能（遠心力による変形抑制、破損防止、保持器案内隙間の変化によるかじりや異音の防止）を満足することが可能となる。
さらに、軸受製造時に、保持器を外輪に対して、誤って軸方向反対方向に組むことを防止可能である。
【図面の簡単な説明】
【００１２】
【図１】本発明の第１実施形態に係るアンギュラ玉軸受の断面図である。
【図２】もみ抜き保持器の断面図である。
【図３】もみ抜き保持器の部分平面図である。
【図４】図３におけるＩＶ−ＩＶ線に沿う部分断面図である。
【図５】第２実施形態に係るアンギュラ玉軸受の断面図である。
【図６】第２実施形態の変形例に係るアンギュラ玉軸受の断面図である。
【図７】第３実施形態に係るアンギュラ玉軸受の断面図である。
【図８】第４実施形態に係る背面組み合わせアンギュラ玉軸受の断面図である。
【図９】（ａ）は従来の標準アンギュラ玉軸受であり、（ｂ）は従来の小径玉アンギュラ玉軸受である。
【発明を実施するための形態】
【００１３】
以下、本発明に係るアンギュラ玉軸受の各実施形態について図面を参照して詳細に説明する。
【００１４】
（第１実施形態）
図１に示すように、第１実施形態に係るアンギュラ玉軸受１は、内周面に外輪軌道面３ａを有する外輪３と、外周面に内輪軌道面５ａを有する内輪５と、外輪軌道面３ａと内輪軌道面５ａとの間に、周方向に所定の間隔で配設された複数の玉７と、該玉７をポケット部９内に転動自在に保持して外輪３と内輪５の間に配置されたもみ抜き保持器１１と、を備える。また、アンギュラ玉軸受１は、静止時において接触角θを有しており、ラジアル荷重及びスラスト荷重を負荷する。アンギュラ玉軸受１の内部空間には、潤滑剤としてのグリースが封入されている。
【００１５】
また、アンギュラ玉軸受１は、玉径が小さくなるように設定されており、より具体的には、軸受の断面高さＹとし、玉７の直径をＤａとすると、Ｄａ／Ｙ＜０．５に設定された小径玉アンギュラ玉軸受である。しかしながら、玉径を小さくし過ぎるとアンギュラ玉軸受１の許容荷重や疲れ寿命に関する性能が満足できなくなるので、Ｄａ／Ｙ≧０．３、より好ましくはＤａ／Ｙ≧０．３５に設定することが望ましい。
【００１６】
外輪３の内周面には、外輪軌道面３ａの軸方向一方側（図１中、左側）に外輪小径肩部３ｂが、軸方向他方側（図１中、右側）に外輪小径肩部３ｂよりも大径の外輪大径肩部としてのカウンタボア３ｃがそれぞれ形成されている。ここで、図１中、外輪小径肩部３ｂの内径をφＡ２、カウンタボア３ｃの最内周部の内径をφＡ１と表している。
【００１７】
内輪５の外周面には、内輪軌道面５ａの軸方向一方側すなわち外輪小径肩部３ｂと径方向で対向する側に内輪小径肩部５ｂが、軸方向他方側すなわちカウンタボア３ｃと径方向で対向する側に内輪小径肩部５ｂよりも大径の内輪大径肩部５ｃが形成されている。ここで、図１中、内輪小径肩部５ｂの外径をφＢ２、内輪大径肩部５ｃの外径をφＢ１と表している。
【００１８】
もみ抜き保持器１１は、ポリアミド（ＰＡ）樹脂にガラス繊維（ＧＦ）を添加して強度を向上させた合成樹脂からなる玉案内方式の保持器である。図２及び図３も参照して、もみ抜き保持器１１は、軸方向一方側に配置され外輪小径肩部３ｂ及び内輪小径肩部５ｂと径方向に対向する一方側環状部１５ａと、軸方向他方側に配置され外輪３のカウンタボア３ｃ及び内輪大径肩部５ｃと径方向に対向する他方側環状部１５ｂと、これら環状部１５ａ，１５ｂを連結する複数の柱部１７と、柱部１７の内周面の軸方向中間部から内周側に向かって突設された突部１８と、を有した段付き形状とされており、これら環状部１５ａ，１５ｂと隣接する柱部１７と突部１８とによって玉７を転動自在に保持する複数のポケット部９を構成する。
【００１９】
もみ抜き保持器１１の外周面は、一方側環状部１５ａの外径φＤＯ２と、他方側環状部１５ｂの外径φＤＯ１及び柱部１７の外径φＤＯ３と、が異なる段付き形状とされている。より詳細に説明すると、もみ抜き保持器１１の外周面の外径は、外輪３の内径に合わせて変化するように設定されており、「カウンタボア３ｃの最内周部の内径φＡ１＞他方側環状部１５ｂの外径φＤＯ１＝柱部１７の外径φＤＯ３＞外輪小径肩部３ｂの内径φＡ２＞一方側環状部１５ａの外径φＤＯ２」の関係を満たすように形成されている。
【００２０】
したがって、もみ抜き保持器１１と外輪３のカウンタボア３ｃとの接触を防止しながら、他方側環状部１５ｂ及び柱部１７の径方向幅を厚くでき、もみ抜き保持器１１の強度を向上させることが可能である。また、もみ抜き保持器１１を外輪３に対して組む際に、誤って軸方向反対方向に組むことを防止することができる。
【００２１】
なお、仮に上記関係が満足されず、軸方向で非対称の形状を有する保持器を誤って軸方向反対方向に組んだ場合、外輪と保持器の適正な隙間が確保できず、玉案内方式にもかかわらず外輪と保持器の接触不具合が発生してしまう虞がある。
【００２２】
また、もみ抜き保持器１１の内周面は、一方側環状部１５ａの内径φｄｉ２と、他方側環状部１５ｂの内径φｄｉ１と、柱部１７の突部１８の内径φｄｉ３と、が異なる段付き形状とされている。より詳細に説明すると、もみ抜き保持器１１の内周面の内径は、内輪５の外径に合わせて変化するように設定されており、「他方側環状部１５ｂの内径φｄｉ１＞一方側環状部１５ａの内径φｄｉ２＞内輪大径肩部５ｃの外径φＢ１＞柱部１７の突部１８の内径φｄｉ３＞内輪小径肩部５ｂの外径φＢ２」の関係を満たすように形成されている。
【００２３】
このように、内輪５の外径に合わせて「他方側環状部１５ｂの内径φｄｉ１＞一方側環状部１５ａの内径φｄｉ２」となるように設定したので、一方側環状部１５ａ及び他方側環状部１５ｂの径方向幅を厚くでき、もみ抜き保持器１１の強度を向上させることが可能である。
さらに、「内輪大径肩部５ｃの外径φＢ１＞柱部１７の突部１８の内径φｄｉ３＞内輪小径肩部５ｂの外径φＢ２」となるように設定したことによって、内輪５側へのもみ抜き保持器１１の組込みを可能にしつつ、柱部１７の径方向幅を厚くでき、もみ抜き保持器１１の強度をさらに向上させることが可能である。
【００２４】
なお、上述の実施形態では「他方側環状部１５ｂの内径φｄｉ１＞一方側環状部１５ａの内径φｄｉ２＞内輪大径肩部５ｃの外径φＢ１」を満たすように構成したが、「他方側環状部１５ｂの内径φｄｉ１＞内輪大径肩部５ｃの外径φＢ１＞一方側環状部１５ａの内径φｄｉ２」となるように構成しても構わない。
【００２５】
また、図２〜４に示すように、もみ抜き保持器１１のポケット部９は、径方向に延びる中心線Ｇを有する円筒形状により形成される円筒面９ａと、該円筒面９ａの内径側で円筒面９ａに連続し、円筒面９ａから離れるに従って中心線Ｇに向かって延びる一対のテーパ面９ｂと、を有し、径方向に貫通するように形成されている。
【００２６】
一対のテーパ面９ｂは、隣り合う柱部１７，１７にそれぞれ設けられ、円筒面９ａ及び一対の突部１８，１８から中心線Ｇに向かって延びる内径側凸部１９，１９によって形成されており、ポケット部９の周方向両側に配置されている。このように、ポケット部９内の軸方向両側には、テーパ面９ｂを形成する内径側凸部１９が設けられていないため、玉７及びポケット部９間に隙間ができ、当該隙間から潤滑剤を供給することが可能となる。なお、必要に応じて、ポケット部９の円筒面９ａ全周に沿うように内径側凸部１９を設ける構成としてもよい。
【００２７】
また、内径側凸部１９は、テーパ面９ｂの内径側端部に、面取りによって中心線Ｇと略平行に形成されたストレート面９ｃを有している。このストレート面９ｃは、もみ抜き保持器１１の切削加工時や射出成形加工時のバリやヒゲ等の不具合の発生を防止する。なお、内径側凸部１９には、上述のストレート面９ｃに代えて、Ｒ形状の曲面を形成するようにしてもよい。
【００２８】
ここで、もみ抜き保持器１１の径方向変位は、玉７が内径側凸部１９のテーパ面９ｂの玉係止部Ｐと接触することで規定される。つまり、もみ抜き保持器１１が、玉７とテーパ面９ｂの玉係止部Ｐとの径方向隙間（径方向案内隙間２×Ｆ）だけ径方向外側に移動したとき、すなわち相対的に玉７が径方向内側に移動したとき、もみ抜き保持器１１は、玉７との接触がテーパ面９ｂの玉係止部Ｐに規制されるように構成されている。
【００２９】
そして、もみ抜き保持器１１の径方向動き量を設計上最適な値とするために、玉係止部Ｐの位置が確定した場合、上述したように本実施形態では「内輪大径肩部５ｃの外径φＢ１＞柱部１７の突部１８の内径φｄｉ３＞内輪小径肩部５ｂの外径φＢ２」の関係を満たすので、柱部１７の突部１８の内径φｄｉ３を小さくすることが可能である。つまり、突部１８から延びる内径側凸部１９のストレート面９ｃも、その径方向幅Ｒを厚くすることができるので、当該ストレート面９ｃの強度向上を実現することが可能である。
【００３０】
このような保持器１１は種々の方法で製作可能であり、例えば、切削加工により製作してもよく、射出成形により製作してもよい。
【００３１】
以上説明したように、本実施形態のアンギュラ玉軸受１によれば、「他方側環状部１５ｂの外径φＤＯ１＞外輪小径肩部３ｂの内径φＡ２」となるように設定したので、他方側環状部１５ｂの径方向幅を厚くでき、もみ抜き保持器１１の強度を向上させることが可能である。これにより、高速回転時のもみ抜き保持器１１の機能（遠心力による変形抑制、破損防止、保持器案内隙間２×Ｆの変化によるかじりや異音の防止）を満足することが可能となる。
さらに、軸受製造時に、もみ抜き保持器１１を外輪３に対して、誤って軸方向反対方向に組むことを防止可能である。
【００３２】
また、「柱部１７の外径φＤＯ３＞外輪小径肩部３ｂの内径φＡ２」となるように設定したので、柱部１７の径方向幅を厚くでき、もみ抜き保持器１１の強度をさらに向上させることが可能である。
【００３３】
また、内輪５の外径に合わせて「他方側環状部１５ｂの内径φｄｉ１＞一方側環状部１５ａの内径φｄｉ２」となるように設定したので、一方側環状部１５ａ及び他方側環状部１５ｂの径方向幅を厚くでき、もみ抜き保持器１１の強度を向上させることが可能である。
【００３４】
さらに、「内輪大径肩部５ｃの外径φＢ１＞柱部１７の突部１８の内径φｄｉ３＞内輪小径肩部５ｂの外径φＢ２」となるように設定したことによって、柱部１７の径方向幅を厚くでき、もみ抜き保持器１１の強度をさらに向上させることが可能である。
【００３５】
（第２実施形態）
次に、第２実施形態に係るアンギュラ玉軸受について説明する。本実施形態のアンギュラ玉軸受は、第１実施形態と基本的構成を同一とするので、同一又は相当部分には、同一符号を付すことによりその説明を省略又は簡略化し、相違部分について詳述する。
【００３６】
図５に示すように、本実施形態に係るアンギュラ玉軸受１のもみ抜き保持器１１は、ポリフェニレンサルファイド（ＰＰＳ）樹脂にガラス繊維（ＧＦ）を添加して強度を向上させた合成樹脂からなり、一方側円環部１５ａが外輪小径肩部３ｂに案内される外輪案内方式の保持器である。ここで、径方向案内隙間は、外輪３の外輪小径肩部３ｂの内径φＡ２と、一方側環状部１５ａの外径φＤＯ２と、の差（φＡ２−φＤＯ２＝２×Ｅ）で表される。
【００３７】
このように、もみ抜き保持器１１が外輪案内方式である場合であっても、「カウンタボア３ｃの最内周部の内径φＡ１＞他方側環状部１５ｂの外径φＤＯ１＝柱部１７の外径φＤＯ３＞外輪小径肩部３ｂの内径φＡ２＞一方側環状部１５ａの外径φＤＯ２」の関係を満たすように形成されているので、他方側環状部１５ｂ及び柱部１７の径方向幅を厚くでき、もみ抜き保持器１１の強度を向上させることが可能である。また、もみ抜き保持器１１を外輪３に対して組む際に、誤って軸方向反対方向に組むことを防止することができる。
【００３８】
なお、仮に上記関係が満足されず、軸方向で非対称の形状を有する保持器を誤って軸方向反対方向に組んだ場合、外輪と保持器の適正な径方向案内隙間（２×Ｅ）が確保できず、案内面のかじりや焼き付きが発生する虞がある。
【００３９】
また、「内輪大径肩部５ｃの外径φＢ１＞柱部１７の突部１８の内径φｄｉ３＞内輪小径肩部５ｂの外径φＢ２」の関係を満たすので、柱部１７の径方向幅を厚くでき、もみ抜き保持器１１の強度をさらに向上させることが可能である。
【００４０】
その他の構成及び効果は、第１実施形態と同様である。
【００４１】
（変形例）
なお、図６に示すように、本実施形態のアンギュラ玉軸受１は、柱部１７の内周面には必ずしも突部１８を設ける必要はなく、この場合、「他方側環状部１５ｂの内径φｄｉ１＞柱部１７の内径φｄｉ３´＝一方側環状部１５ａの内径φｄｉ２」の関係を満たすように、構成すればよい。
【００４２】
（第３実施形態）
次に、第３実施形態に係るアンギュラ玉軸受について説明する。本実施形態のアンギュラ玉軸受は、第１実施形態と基本的構成を同一とするので、同一又は相当部分には、同一符号を付すことによりその説明を省略又は簡略化し、相違部分について詳述する。
【００４３】
図７に示すように、本実施形態に係るアンギュラ玉軸受１は、外輪３及び内輪５の軸方向両側の開口部に、芯金１２がゴム等の弾性体１３によって覆われて環状に形成された一対のシール部材１４が設けられ、内部からのグリース流出が防止されている。また、もみ抜き保持器１１は、ポリアミド（ＰＡ）樹脂に炭素繊維（ＣＦ）を添加して強度を向上させた合成樹脂からなり、玉案内方式の保持器である。
【００４４】
また、外輪３の内周面には、外輪軌道面３ａの軸方向他方側（図７中、右側）に、カウンタボアが形成されておらず、外輪小径肩部３ｂよりも大径で平面状の外輪大径肩部３ｃ´が形成されている。一方、内輪５の外周面には、内輪軌道面５ａの軸方向一方側（図７中、左側）にカウンタボア５ｂ´が形成されている。
【００４５】
以上のように構成した場合であっても、第１実施形態と同様の寸法関係に設定することにより、第１実施形態と同様の効果を奏することが可能である。
【００４６】
（第４実施形態）
また、上述の実施形態に係るアンギュラ玉軸受１を、二列背面組み合わせして用いても構わない。図８には、第１実施形態に係るアンギュラ玉軸受１において、もみ抜き保持器１１の添加材料を炭素繊維（ＣＦ）に変更したものを、二列背面組み合わせした状態を図示したが、第２実施形態や第３実施形態のアンギュラ玉軸受１を二列背面組み合わせしても良いことは言うまでもない。
【００４７】
尚、本発明は、前述した実施形態に限定されるものではなく、適宜、変形、改良等が可能である。
例えば、本発明の転がり軸受は、工作機械等の主軸装置において、主軸を支持するのに好適に使用されてもよく、或いは、高速モータのモータ軸を支持するのに適用されてもよい。
【００４８】
また、保持器の材質は、上述の実施形態において記載した合成樹脂以外にも、ポリイミド（ＰＩ）、フェノール樹脂などを母材として使用してもよく、強化材としてアラミド繊維を用いてもよい。
【符号の説明】
【００４９】
１      アンギュラ玉軸受
３      外輪
３ａ    外輪軌道面
３ｂ    外輪小径肩部
３ｃ    カウンタボア（外輪大径肩部）
３ｃ´  外輪大径肩部
５      内輪
５ａ    内輪軌道面
５ｂ    内輪小径肩部
５ｂ´  カウンタボア（内輪小径肩部）
５ｃ    内輪大径肩部
７      玉
９      ポケット部
９ａ    円筒面
９ｂ    テーパ面
９ｃ    ストレート面
１１    もみ抜き保持器（保持器）
１２    芯金
１３    弾性体
１４    シール部材
１５ａ  一方側環状部
１５ｂ  他方側環状部
１７    柱部
１８    突部
１９    内径側凸部
【図１】
2014126195.tif 000003
【図２】
2014126195.tif 000004
【図３】
2014126195.tif 000005
【図４】
2014126195.tif 000006
【図５】
2014126195.tif 000007
【図６】
2014126195.tif 000008
【図７】
2014126195.tif 000009
【図８】
2014126195.tif 000010
【図９】
2014126195.tif 000011